(57)【要約】【課題】本発明は、静電気で劣化しやすい半導体レーザ、ＬＥＤ等を実装したフレキシブル配線基板やプリント配線基板の端子間を安定したショート状態を実現できる高信頼性治具を提供する。【解決手段】本実施の形態のショートばね１は、フレキシブル配線基板１０の端子部を挿入嵌合するための案内板４と上下板３と受板６、及びＦＰＣ左右両側を案内し位置決めする側板３、及びＦＰＣの特定の端子毎に接触する複数のショート端子２を１個の導電性板バネから形成する。【選択図】図１
2011119079.tif 000002
【特許請求の範囲】
【請求項１】
フレキシブル配線基板の特定端子毎に接触する接点を備えた複数のショート端子と、
前記フレキシブル配線基板の左右外形を挿入案内する側板と、
前記フレキシブル配線基板の表裏面を挿入案内する上下板と、
前記フレキシブル配線基板の先端を受ける受板と、
前記フレキシブル配線基板を前記上下板に案内するハの字に配した案内板を有するショートばねであって、
上記全ての構成要素を１個の導電性板バネより形成したことを特徴とするショートばね。
【請求項２】
フレキシブル配線基板の端子に接触するショート端子の接点を球面形状に形成した請求項１のショートばね。
【発明の詳細な説明】
【技術分野】
【０００１】
本発明は静電気で劣化しやすい半導体レーザ、ＬＥＤ等を実装したフレキシブル配線基板（以下、ＦＰＣと表示）やプリント配線基板の端子間をショートする治具に関し、特にＦＰＣやプリント配線基板の特定の端子間をショートするため端子毎に接触端子を形成したショート治具構造に関する。
【背景技術】
【０００２】
従来、静電気で劣化しやすい半導体レーザ、ＬＥＤ等を実装したＦＰＣやプリント配線基板を製造工程内で取り扱う際には、設備、人体等のアースを取ると同時にＦＰＣやプリント配線基板上にショート用パターンを形成しそれを半田ショートしたり、導電性のクリップやアース治具等でＦＰＣやプリント配線基板上の端子をショートさせる方法が知られている（特に、特許文献１参照）。
【０００３】
特許文献１と同様な技術思想に基づくショート治具を、図７〜１０に基づいて説明する。図７は、ショートばねとＦＰＣの外観斜視図である。図８は、ショーバネの断面図である。図９は、ショートばねをＦＰＣに嵌合した外観斜視図である。図１０は、図９の断面図である。
【０００４】
図７、図８に示すように、ショートばね１はハの字に形成した案内板４、その案内板と逆ハの字に形成した上下板５、その上下板の端をつなぐ受板６が１個の導電性板バネから形成され、前記案内板と上下板の境界にはＦＰＣの厚みより狭い隙間に加工した接点１ａ、１ｂが設けられている。
【０００５】
ＦＰＣ１０の先端には複数の端子１１が形成されており、図示されていないレーザの電源につながるレーザ電源端子１３ａ、１３ｂと、そのＧＮＤにつながるＧＮＤ端子１２ａ、１２ｂが配置されている。
【０００６】
図９、図１０に示すように、ＦＰＣ１０の先端にショートばね１が挿入嵌合されるとＦＰＣは接点１ａと接点１ｂにはさまれ、全ての端子１１が接点１ａと接触することになる。ショートばね１は１個の導電性板バネから形成されるため、ＦＰＣ上の全端子はショート状態になりレーザ電源端子及びＧＮＤ端子もショート状態になる。このように、１個の導電性板バネから形成されたショートばねをＦＰＣやプリント配線基板の先端に挿入嵌合することにより、レーザ電源端子とＧＮＤ端子をショートすることができる。
【先行技術文献】
【特許文献】
【０００７】
【特許文献１】特開昭６３−１８０８７１号公報（特に、第２図参照）
【発明の概要】
【発明が解決しようとする課題】
【０００８】
しかしながら、接点１ａ，１ｂは１個の板バネから曲げ加工等により形成されるため左右両端の隙間を全く同じにすることが難しく、このような状態でＦＰＣやプリント配線基板に挿入嵌合された場合、大きい隙間側の接点が端子から離れショートできないという問題があった。
【０００９】
そこで、本発明の目的は、上記の問題を解決すべく、安定したショート状態を実現するショートばねを提供することを目的とする。
【課題を解決するための手段】
【００１０】
上記目的を達成するために、本発明のショートばねは、ＦＰＣやプリント配線基板の特定端子毎に接触するように複数のショート端子を１個の導電性板バネより形成する。
【００１１】
これにより、ショートばね両端の接点間隙間がばらついてもレーザ電源端子とＧＮＤ端子にショート端子は接触し安定したショート状態を実現することができる。そのため、レーザ劣化やＬＥＤ劣化に対して信頼性が高くなる。
【発明の効果】
【００１２】
上記の構成によれば、１個の板バネから作成したショートばねで安定したショート状態が実現でき、ＦＰＣやプリント配線基板の信頼性が高くなる。
【図面の簡単な説明】
【００１３】
【図１】実施の形態１にかかるショートばねとＦＰＣの外観斜視図
【図２】実施の形態１にかかるショートばねの断面図
【図３】実施の形態１にかかるショートばねをＦＰＣに嵌合した外観斜視図
【図４】実施の形態１にかかるショートばねをＦＰＣに嵌合した断面図
【図５】実施の形態２にかかるショートばねの外観斜視図
【図６】実施の形態２にかかるショートばねの断面図
【図７】従来のショートばねとＦＰＣの外観斜視図
【図８】従来のショートばねの断面図
【図９】従来のショートばねをＦＰＣに嵌合した外観斜視図
【図１０】従来のショートばねをＦＰＣに嵌合した断面図
【発明を実施するための形態】
【００１４】
（実施の形態１）
［１．ショートばねの構成］
図１にショートばねとＦＰＣの外観斜視図、図２にショートばねの断面図を示す。ショートばね１は先端付近を曲げ加工し接点２ａを設けた複数のショート端子２と、ハの字に形成した案内板４と、その案内板から続く上下板と５、その上下板の端をつなぐ受板６が１個の導電性板バネから形成され、前記接点２ａと下側の案内板４との間をＦＰＣの厚みより狭い隙間に設定している。
【００１５】
ＦＰＣ１０の先端には複数の端子１１が形成されており、図示されていないレーザの電源につながるレーザ電源端子１３ａ、１３ｂと、そのＧＮＤにつながるＧＮＤ端子１２ａ、１２ｂが配置されている。
【００１６】
［２．ショートばねの取付］
図３にショートばねをＦＰＣに嵌合した外観斜視図、図４にその断面図を示す。ＦＰＣ１０の先端が案内板４、上下板５に沿って受板６まで挿入されると同時に側板３でＦＰＣ両側外形が案内位置決めされ、レーザ電源端子１３ａ，１３ｂとＧＮＤ端子１２ａ，１２ｂのそれぞれにショート端子の接点２ａが一定のバネ圧で当たる。ショートばね１は１個の導電性板バネから形成されているため、レーザ電源端子及びＧＮＤ端子はショート状態になる。このように、１個の導電性板バネから形成したショートばねをＦＰＣやプリント配線基板の先端に挿入嵌合することにより、レーザ電源端子とＧＮＤ端子をショートすることができる。
【００１７】
［３．まとめ］
本実施の形態のショートばねは、ＦＰＣ１０の端子部を挿入嵌合するための案内板４と上下板３と受板６、及びＦＰＣ両側を案内位置決めする側板３、及びＦＰＣの特定の端子に当たるように配置したショート端子２を１個の導電性板バネから形成する。
【００１８】
これにより、レーザ電源端子とＧＮＤ端子を安定したショート状態が実現でき、ＦＰＣやプリント配線基板の信頼性が高くなる。
【００１９】
（実施の形態２）
［１．ショートばねの構成］
図５にショートばねの外観斜視図、図６にショートばねの断面図を示す。実施の形態１と異なるのは、ショート端子２に設けた接点２ａが球面で形成された点であり、その他は実施の形態１と同じである。
【００２０】
［２．ショートばねの取付］
ショートばね１をＦＰＣ端子部に取り付ける方法は実施の形態１と同じである。但し、ＦＰＣ１０の端子１１に接する接点２ａが球面のため点接触となり、実施の形態１の折り曲げコーナの線接触に比べ大きい面圧を得ることができ、ＦＰＣやプリント基板の信頼性がより高くなる。
【産業上の利用可能性】
【００２１】
本発明は、静電気で劣化しやすい半導体レーザ、ＬＥＤ等を実装したＦＰＣやプリント配線基板の端子間をショートする治具に関し、特にＦＰＣやプリント配線基板の特定の端子間をショートするのに各々の端子毎に接触端子を形成したショート治具構造に関するものであって、信頼性の高いＦＰＣやプリント配線基板が提供できる。そのため、本発明はＣＤ光ピック、ＤＶＤ光ピック、ＢＤ光ピック、ＬＥＤ照明基板、液晶テレビのＬＥＤバックライト基板等に適用できる。
【符号の説明】
【００２２】
１    ショートばね
１ａ、１ｂ    接点    
２   ショート端子
２ａ    接点
３    側板
４    案内板
５    上下板
６    受板    
１０    ＦＰＣ
１１    端子
１２ａ，１２ｂ    ＧＮＤ端子
１３ａ，１３ｂ    レーザ電源端子
【図１】
2011119079.tif 000003
【図２】
2011119079.tif 000004
【図３】
2011119079.tif 000005
【図４】
2011119079.tif 000006
【図５】
2011119079.tif 000007
【図６】
2011119079.tif 000008
【図７】
2011119079.tif 000009
【図８】
2011119079.tif 000010
【図９】
2011119079.tif 000011
【図１０】
2011119079.tif 000012